(57)【要約】 【課題】  表示スペースの拡大を伴うことなく、そこに表示される情報の数を増やすことが可能な供給カセット、画像形成装置、並びに情報処理システムを提供することを目的とする。【解決手段】  複合機５０は用紙上に画像を形成するプリンタ部４０と、フラットベット式のスキャナ装置６０とを主体として構成され、ファクシミリ機能、スキャナ機能、プリンタ機能を有する。また、複合機５０を構成する筐体４２の下部には、カセット収容部４２Ａが設けられている。このカセット収容部４２Ａに対しては、記録媒体としての用紙を積層状に収容した給紙カセット５１、５５が前方からの操作によって装着されるようになっている。そして、給紙カセット５１、５５の前面壁５２、５６には任意の文字列を発光表示可能なＬＣＤ表示部５３、５７がそれぞれ設けられており、そこに、給紙カセット５１、５５内の用紙の種別が表示されるようになっている。【選択図】  図２
2006232539.tif 000002
【特許請求の範囲】
【請求項１】
同種の記録媒体が積層上に収容される供給カセットと、前記供給カセットから供給された記録媒体に画像を形成する画像形成部と、を有する画像形成装置であって、
前記供給カセット或いは、該供給カセットの近傍に設けられ、表示面が複数の表示ドットから構成されて任意の文字、図形、記号よりなる表示像を形成可能とされた表示部と、
前記記録媒体の種別を判別するための判別情報を前記表示部に表示させるべく、前記表示部を制御する表示制御手段と、を備えたことを特徴とする画像形成装置。
【請求項２】
前記画像形成装置を構成する筐体に対して、少なくとも壁面の一部を外部に露出させた状態で前記供給カセットが装着されたものにおいて、
前記供給カセットにおける外部に露出される露出面に、前記表示部が設けられていることを特徴とする請求項１に記載の画像形成装置。
【請求項３】
前記供給カセットが前記筐体に対して脱着可能とされたものにおいて、
前記供給カセットの露出面に、前記筐体に対して前記供給カセットを脱着させる際の操作部が設けられていることを特徴とする請求項２に記載の画像形成装置。
【請求項４】
前記表示部に電力を供給するための電源供給回路が前記筐体側に設けられたものにおいて、
前記筐体から前記供給カセットを取り外したときに、前記表示部に対して電力を供給して表示状態を維持する補助電源供給手段が前記供給カセットに設けられていることを特徴とする請求項２又は請求項３に記載の画像形成装置。
【請求項５】
前記画像形成装置を構成する筐体に対して、少なくとも壁面の一部を外部に露出させた状態で前記供給カセットが装着されたものにおいて、
前記筐体における前記供給カセットの露出面の側方位置に、前記表示部が設けられていることを特徴とする請求項１に記載の画像形成装置。
【請求項６】
前記判別情報を外部より設定可能な外部入力手段が、前記画像形成装置を構成する前記筐体に設けられていることを特徴とする請求項２ないし５のいずれかに記載の画像形成装置。
【請求項７】
請求項１ないし５のいずれかに記載の画像形成装置と、この画像形成装置に接続され前記画像形成装置との間でデータを送受信する通信手段を有するホストコンピュータとからなる情報処理システムであって、
前記ホストコンピュータは、
前記判別情報を外部より設定可能な外部入力手段と、
前記外部入力手段によって設定された前記判別情報を前記通信手段を通じて前記画像形成装置に送信するデータ転送制御手段とを、備えてなることを特徴とする情報処理システム。
【請求項８】
前記ホストコンピュータは表示ディスプレイを有し、前記判別情報が前記ホストコンピュータ側で表示可能とされていることを特徴とする請求項７に記載の情報処理システム。
【請求項９】
請求項６に記載の画像形成装置と、この画像形成装置に接続され前記画像形成装置との間でデータを送受信する送受信する通信手段を有するホストコンピュータとからなる情報処理システムであって、
前記ホストコンピュータは、
前記外部入力手段によって設定された前記判別情報を前記通信手段を通じて前記画像形成装置から受信するデータ転送制御手段と、表示ディスプレイとを有し、
前記判別情報が前記ホストコンピュータ側で表示可能とされていることを特徴とする情報処理システム。
【請求項１０】
画像形成装置を構成する筐体に取り外し可能に装着されて、前記画像形成装置に設けられる画像形成部に記録媒体を供給するための供給カセットであって、
表示面が複数の表示ドットから構成されて、前記画像形成装置に設けられる表示制御手段からの制御信号に基づいて任意の文字、図形、記号よりなる表示像を形成可能な表示部を備えてなることを特徴とする供給カセット。
【発明の詳細な説明】
【技術分野】
【０００１】
本発明は、給紙カセット、画像形成装置、並びに情報処理システムに関する。
【背景技術】
【０００２】
従来より、画像形成装置には、様々な種別の記録媒体が専用の給紙カセットに種別ごとに収容されており、オペレータは使用用途に応じて記録媒体の種別を使い分けして画像形成を行う。そして、記録媒体を補充するときに、対応する給紙カセットに正しい種別の記録媒体が補充されるように、給紙カセット或いはその近傍に、記録媒体の種別を特定するための表示手段が設けられている（特許文献１）。
このものは給紙カセットの前面に、５種類（ＬＥＡＧＡＬ、ＬＥＴＴＥＲ、ＥＸＥＣＵＴＩＶＥ、Ａ４、Ａ５）の文字列を上下に並べて配置したサイズ情報表示部を備えている。そして、これら各サイズ情報の側部には表示窓がそれぞれ設けられており、所定の表示窓に指示部をセットすることで、給紙カセット内の用紙を目視して確認することなく、指示部が指し示す文字列（サイズ情報）から給紙カセットが如何なるサイズの用紙を収容するものであるか知ることが出来る。
【特許文献１】特開平７−２２３７３７号公報
【発明の開示】
【発明が解決しようとする課題】
【０００３】
しかし、使用状況によっては、サイズの使い分けに加えて銘柄、或いは色の使い分けが必要とされる場合がある。これに対応するには、表示部を構成する情報（文字列）の数を増やしてこれを上下に配置してやればよいが、情報の数を増加させるということは、その分、表示情報を表示するためのスペースを広くとることになるが、給紙カセット或いは、その近傍のスペースには限りがあるから、現実的でない。
本発明は上記のような事情に基づいて完成されたものであって、表示スペースの拡大を伴うことなく、そこに表示される情報の数を増やすことが可能な供給カセット、画像形成装置、並びに情報処理システムを提供することを目的とする。
【課題を解決するための手段】
【０００４】
上記の目的を達成するための手段として、請求項１の発明は、同種の記録媒体が積層上に収容される供給カセットと、前記供給カセットから供給された記録媒体に画像を形成する画像形成部と、を有する画像形成装置であって、前記供給カセット或いは、該供給カセットの近傍に設けられ、表示面が複数の表示ドットから構成されて任意の文字、図形、記号よりなる表示像を形成可能とされた表示部と、前記記録媒体の種別を判別するための判別情報を前記表示部に表示させるべく、前記表示部を制御する表示制御手段と、を備えたところに特徴を有する。
【０００５】
請求項２の発明は、請求項１に記載のものにおいて、前記画像形成装置を構成する筐体に対して、少なくとも壁面の一部を外部に露出させた状態で前記供給カセットが装着されたものにおいて、前記供給カセットにおける外部に露出される露出面に、前記表示部が設けられているところに特徴を有する。
【０００６】
請求項３の発明は、請求項２に記載のものにおいて、前記供給カセットが前記筐体に対して脱着可能とされたものにおいて、前記供給カセットの露出面に、前記筐体に対して前記供給カセットを脱着させる際の操作部が設けられているところに特徴を有する。
【０００７】
請求項４の発明は、請求項２又は請求項３に記載のものにおいて、前記表示部に電力を供給するための電源供給回路が前記筐体側に設けられたものにおいて、前記筐体から前記供給カセットを取り外したときに、前記表示部に対して電力を供給して表示状態を維持する補助電源供給手段が前記供給カセットに設けられているところに特徴を有する。
【０００８】
請求項５の発明は、請求項１に記載のものにおいて、前記画像形成装置を構成する筐体に対して、少なくとも壁面の一部を外部に露出させた状態で前記供給カセットが装着されたものにおいて、前記筐体における前記供給カセットの露出面の側方位置に、前記表示部が設けられているところに特徴を有する。
【０００９】
請求項６の発明は、請求項２ないし請求項５のいずれかに記載のものにおいて、前記判別情報を外部より設定可能な外部入力手段が、前記画像形成装置を構成する前記筐体に設けられているところに特徴を有する。
【００１０】
請求項７の発明は、請求項１ないし５のいずれかに記載の画像形成装置と、この画像形成装置に接続され前記画像形成装置との間でデータを送受信する通信手段を有するホストコンピュータとからなる情報処理システムであって、前記ホストコンピュータは、前記判別情報を外部より設定可能な外部入力手段と、前記外部入力手段によって設定された前記判別情報を前記通信手段を通じて前記画像形成装置に送信するデータ転送制御手段とを、備えてなるところに特徴を有する。
【００１１】
請求項８の発明は、請求項７に記載のものにおいて、前記ホストコンピュータは表示ディスプレイを有し、前記判別情報が前記ホストコンピュータ側で表示可能とされているところに特徴を有する。
【００１２】
請求項９の発明は、請求項６に記載の画像形成装置と、この画像形成装置に接続され前記画像形成装置との間でデータを送受信する送受信する通信手段を有するホストコンピュータとからなる情報処理システムであって、前記ホストコンピュータは、前記外部入力手段によって設定された前記判別情報を前記通信手段を通じて前記画像形成装置から受信するデータ転送制御手段と、表示ディスプレイとを有し、前記判別情報が前記ホストコンピュータ側で表示可能とされているところに特徴を有する。
【００１３】
請求項１０の発明は、画像形成装置を構成する筐体に取り外し可能に装着されて、前記画像形成装置に設けられる画像形成部に記録媒体を供給するための供給カセットであって、表示面が複数の表示ドットから構成されて、前記画像形成装置に設けられる表示制御手段からの制御信号に基づいて任意の文字、図形、記号よりなる表示像を形成可能な表示部を備えてなるところに特徴を有する。
【発明の効果】
【００１４】
＜請求項１の発明＞
このような構成であれば、表示内容からカセット内に収容すべき記録媒体の種別を判別することが可能となるから、供給カセットに誤った種別の記録媒体が補充されることが少なくなる。
＜請求項２の発明＞
このような構成であれば、外部から表示部の表示内容を容易に視認することが可能となる。
【００１５】
＜請求項３の発明＞
操作部と表示部が同じ壁面に設けられているから、より一層表示内容を視認し易くなる。
＜請求項４の発明＞
このような構成であれば、供給カセットを筐体から取り外したときにも、表示状態が維持されるから、使い勝手がよく商品性に優れる。
【００１６】
＜請求項５の発明＞
このような構成であれば、筐体側に表示のための電装部品を集中させることが可能となる。仮に、表示部を供給カセット側に設けると、供給カセット側と筐体側とに電装部品を分けて配置することが必要となるから、その分、構造が複雑となるが、係る構成であれば、簡単な構造で済む。
【００１７】
＜請求項６の発明＞
このような構成であれば、供給カセットの近傍において判別情報を入力することが出来るから（更に、言えば供給カセットに収容された記録媒体を参照しつつ入力操作を行うことが出来る）、入力操作時に記録媒体の種別を誤ることがない。
【００１８】
＜請求項７の発明＞
このような構成であれば、ホストコンピュータ側からも入力操作が出来るから、使い勝手がよい。
【００１９】
＜請求項８の発明＞
このような構成であれば、ホストコンピュータの表示ディスプレイで、判別情報が確認可能である。従って、実際の画像形成の際に、供給カセット或いはその近傍において表示されている記録媒体の種別を表す情報がコンピュータ側で確認できるのでユーザの意図と異なる記録媒体に画像を形成をしてしまうことが回避できる。
【００２０】
＜請求項９の発明＞
このような構成であれば、画像形成装置側で設定された判別情報が、通信手段を通じてホストコンピュータ側に転送されるから、ホストコンピュータの表示ディスプレイで、判別情報が確認可能となる。従って、実際の画像形成の際に、供給カセット或いはその近傍において表示されている記録媒体の種別を表す情報がコンピュータ側で確認できるのでユーザの意図と異なる記録媒体に画像を形成をしてしまうことが回避できる。
【００２１】
＜請求項１０の発明＞
このような構成であれば、表示内容からカセット内に収容すべき記録媒体の種別を判別することが可能となるから、供給カセットに誤った種別の記録媒体が補充されることが少なくなる。
【発明を実施するための最良の形態】
【００２２】
＜実施形態１＞
本発明の実施形態１を図１ないし図８を参照しつつ説明する。
図１は本発明の実施形態１に係る情報処理システムの概念図である。情報処置システムは、ローカルコンピュータ（本発明のホストコンピュータに相当）１０と複合機５０とが双方向性の通信インターフェイスを介して通信可能に接続されたものである。ローカルコンピュータ１０は表示ディスプレイ１１と、外部入力手段としてのキーボード１２、マウス１３、並びにＣＰＵ２１が実装されるマザーボード、ＦＤドライブ１４、ＣＤ−Ｒドライブ１５等の各ドライブが収容される本体１６とからなる。
【００２３】
複合機５０は用紙上に画像を形成するプリンタ部４０と、フラットベット式のスキャナ装置６０とを主体として構成され、ファクシミリ機能、スキャナ機能、プリンタ機能を有する。また、この複合機５０は胴内排紙型とされ、プリンタ部４０、スキャナ装置６０との間に位置して排紙トレイ７１が設けられている。
【００２４】
複合機５０を構成する筐体４２の下部には、カセット収容部４２Ａが設けられている。このカセット収容部４２Ａに対しては、記録媒体としての用紙を積層状に収容した給紙カセット（本発明の供給カセットに相当）５１、５５が前方からの操作によって装着されるようになっている。給紙カセット５１、５５をカセット収容部４２Ａに装着すると、図２に示すように給紙カセット５１、５５の前面壁（本発明の露出面に相当する）５２、５６が筐体４２の前面壁とほぼ面一の状態となってカセット収容部４２Ａが塞がれるようになっている。そして、給紙カセット５１、５５の前面壁５２、５６の下部には引き出し操作用の凹み部（本発明の操作部に相当する）５２Ａ、５６Ａが設けられており、そこに手をかけて、引っ張りだすことで給紙カセット５１、５５をカセット収容部４２Ａから取り外すことが出来るようになっている。
【００２５】
本実施形態において、カセット収容部４２Ａは上下２段の構成とされ、これに対応して給紙カセットの数も２個とされている。以下、下側の給紙カセットを第二給紙カセット５５とし、上側の給紙カセットを第一給紙カセット５１として説明する。尚、詳細には後述するが、これら各給紙カセット５１、５５の前面壁の右下部にはＬＣＤ表示部（本発明の表示部に相当する）５３、５７がそれぞれ設けられている。
【００２６】
スキャナ装置６０についての詳細な説明は割愛するが、装置の上面の正面側に操作用のタッチパネルを備えた操作パネル（本発明の外部入力手段に相当）６１が配されるとともに、これと並んでＡＤＦ機構６３を備えた原稿カバー６６が配置されている。ＡＤＦ機構６３は、原稿供給トレイ６５から１枚づつ原稿を取り込んでイメージセンサ（図示せず）の上方を通過させ、そこで原稿から画像を読み取るものである。操作パネル６１はＦａｘ番号の入力の他、複合機５０の各設定（後述するＬＣＤ表示部５３、５７の表示内容の設定も可能）を行うことができる。
【００２７】
次に、図３を参照して、情報処理システムの電気的構成について説明する。
プリンタ部４０は、ローカルコンピュータ１０から出力される印刷データを受信するＰＣインターフェース（本発明の通信手段）４８と、ＲＯＭ４２、ＲＡＭ４３、印刷部（本発明の画像形成部に相当）４５、ＣＰＵ（本発明の表示制御手段に相当する）４１、電源供給回路４６などを備えている。このうちのＲＯＭ４２内には印刷部４５を駆動制御するための処理プログラムが格納されており、印刷データを受信するとＣＰＵ４１が処理プログラムをＲＡＭ４３上に読み出すようになっている。電源供給回路４６は商用のＡＣ電源から、モータ等のアクチュエータを作動させるためのＤＣ３０Ｖと、ＣＰＵ４１或いは給紙カセット５１、５５のＬＣＤ表示部５３、５７の電源として使用されるＤＣ５Ｖとを発生させるようになっている。
【００２８】
一方、ローカルコンピュータ１０の本体１６内には、ＣＰＵ（本発明のデータ転送手段に相当する）２１、ＲＯＭ２２、ＲＡＭ２３、ＨＤＤ（ハードディスクドライブ）２５、プリンタインターフェース（本発明の通信手段に相当）２８が備えられている。
ＨＤＤ２５には、ワープロ等のアプリケーションプログラム（以下、アプリケーションとする）２６と、プリンタドライバ２７、図示しないＯＳなどが格納されている。アプリケーションは処理の実行時に、ＲＡＭ２３の所定の領域にロードされてＣＰＵ２１によって実行される。これにより、キーボード１２、マウス１３等のユーザインターフェースによって印刷内容を指定することが出来るようになっている。
【００２９】
プリンタドライバ２７には設定プログラムと、変換プログラムとが含まれている。変換プログラムは、アプリケーション２６の印刷指示内容をプリンタ言語に変換するためのプログラムであって、 印刷指令を受けると、印刷データをＰＤＬデータに変換する展開（変換）処理を行う。
【００３０】
一方、設定プログラムは、図５に示す印刷設定に関する基本設定画面（印刷のプロパティ画面）並びに、図７に示すプリンタ設定に関する基本設定画面（出力先のプロパティ画面）をディスプレイ１１上に表示してユーザに各種の設定を行わせるためのものである。
【００３１】
そして、プリンタドライバ２７からの出力データはプリンタインターフェース２８を通じてプリンタ部４０に送信される。すると、ＣＰＵ４１はＲＯＭ４２から処理プログラムを読み出し、ＰＤＬデータをデータ処理する。これにより、印刷部４５の駆動制御が開始され、指定された給紙カセット５１から用紙が一枚ずつ供給されてゆき、供給された用紙上に所望の画像が形成されることとなる。
【００３２】
ところで、第一給紙カセット５１の前面壁５２の右側部、並びに第二給紙カセット５５の前面壁５６の右側部にはそれぞれＬＣＤ表示部５３、５７が設けられおり、各給紙カセット５１、５５をカセット収容部４２Ａに対して取り付けると、筐体４２側の回路に電気的に接続され、ＬＣＤ表示部５３、５７に用紙の銘柄（本発明の記録媒体の種別を判別するための判別情報に相当）が表示されるようになっている。
【００３３】
より具体的に説明すると（両ＬＣＤ表示部５３、５７の構造は同一であるため、以下の説明では、第一給紙カセット５１のＬＣＤ表示部５３を例にとって説明する）、図４に示すようにＬＣＤ表示部５３は、透過軸が互いに直交する２枚の偏光板間に液晶層を有するＬＣＤ表示板５４Ａと、ＬＣＤ表示板５４Ａの背面に配置されるバックライト５４Ｂから構成される。バックライト５４Ｂは例えば、緑色ＬＥＤよりなる。
【００３４】
ＬＣＤ表示板５４Ａはドッドマトリクス状の複数画素（本発明の表示ドットに相当する）に区画され、これら各画素に透明電極によって制御電圧を印加することで、光の透過・遮断を制御することが出来るようになっている。すなわち、ＬＣＤ表示板５４Ａに制御電圧が印加されると、表示内容部分だけが光の透過を許容され、その他の部分では光の透過が遮断される。そのため、電源供給回路４６から電力の供給がなされてバックライト５４Ｂが点灯すると、ＬＣＤ表示板５４Ａ上には任意の文字、図形、記号よりなる表示像が発光表示可能となる。
【００３５】
一方、図５に示すように、印刷のプロパティ画面上には、用紙のサイズ設定枠Ｋ１、部数の設定枠Ｋ２、カセット選択枠Ｋ３等が設けられるとともに、カセット選択枠Ｋ３の下部には、用紙銘柄選択枠Ｋ５が設けられている。この用紙銘柄選択枠Ｋ５には、複数銘柄（Ａ社×××紙、Ｂ社×××紙、等）が表示されるようになっており、所望の銘柄の位置でＯＫボタンＫ７をクリックする公知の操作法により、用紙銘柄の指定を行うことができるようになっている。
また、本実施形態では、用紙銘柄枠Ｋ５内に銘柄の追加が設けられており、これを選択するとキーボード１２による入力操作によって、初期設定においては登録されていない用紙銘柄を事後的に設定することが出来るようになっている（図６参照）。
【００３６】
これにより、例えば、用紙銘柄としてＡ社の銘柄が指定されると、図７に示すように、印刷を行う際に、表示ディスプレイ１１に表示される出力先のプロパティ画面における給紙方法の欄に、指定された給紙カセット名（カセット１）と、用紙銘柄（Ａ社、××用紙）が表示される。これにより、ユーザは用紙銘柄の確認を表示ディスプレイ１１で行ったうえで上で、プリンタ部４０に印刷を行わせることとなるから、印刷時において、希望としない銘柄の用紙に画像が形成されることを未然に回避することが出来る。
【００３７】
そして、印刷のプロパティ画面上で用紙銘柄が指定されると、ローカルコンピュータ１０のプリンタドライバ２７からプリンタインタフェース２８を通じてプリンタ部４０に出力データが送信される。すると、図４に示すように、プリンタ部４０のＣＰＵ４１は、用紙銘柄が指定された際に、選択されていた給紙カセット（ここでは、第一給紙カセット５１）のＬＣＤ表示板５４Ａに制御信号Ｓ１を出力する。そのため、図８に示すように、選択された第一給紙カセット５１のＬＣＤ表示部５３上に、印刷のプロパティ画面で選択された用紙銘柄（Ａ社×××紙）が発光表示される。
【００３８】
尚、用紙銘柄の情報（データ）は、プリンタドライバ２７側で記憶するようにしてもよいが、少なくとも複合機５０側で記憶しておくことが望ましい。すなわち、用紙銘柄の情報（データ）が複合機５０にあることで、例えば、複合機５０がネットワークに接続されている場合、複数のコンピュータから同一のデータを見ることが出来る。この場合、用紙銘柄の情報（データ）は電源が切れても保持することが出来るように、電池等でバックアップされたＲＡＭ、或いはＥＥＰＲＯＭ当の不揮発性メモリに記憶するようにするとよい。
【００３９】
このように、本実施形態によれば、給紙カセット５１、５５にＬＣＤ表示部５３、５７を設けて、用紙種別を判別するための判別情報（ここでは、銘柄）を表示するようにしてある。そのため、ユーザが用紙の補充を行う際に、用紙の種別を誤ることが少なくなる。また、ＬＣＤ表示部５３、５７はドットマトリクス方式であるため、任意の文字列を表示可能である。そのため、初期には設定されてないような判別情報を後に追加することも可能であり、汎用性に優れるものとなっている。
【００４０】
加えて、ＬＣＤ表示部５３、５７は給紙カセット５１、５５の前面壁５２、５６に設けられており、しかも、操作用の凹み部５２Ａ、５６Ａの右側部に設けられている。操作用の凹み部５２Ａ、５６Ａは給紙カセット５１、５５を筐体４２から脱着させる際に、ユーザが手をかけるところであるから目につき易い場所であり、表示効果を最大限に発揮させることが可能となる。
【００４１】
また、ＬＣＤ表示部５３、５７の設定はローカルコンピュータ１０によるユーザインタフェースを使用しての設定の他、複合機５０側の操作パネル６１からでも行えるようになっている。すなわち、操作パネル６１によって表示内容が決定されると、これがＣＰＵ４１に伝達され、ＣＰＵ４１がＬＣＤ表示部５３、５７に制御信号Ｓ１を出力することで、ＬＣＤ表示部５３、５７には操作パネル６１によって選択された表示内容が表示される。
このように、複合機５０、ローカルコンピュータ１０のいずれからでも、ＬＣＤ表示部５３、５７の表示内容を設定・変更することが出来れば、例えば、ローカルコンピュータ１０が停止しているときには、わざわざ電源を投入してＯＳを立ち上げなくても、複合機５０側でＬＣＤ表示部５３、５７の表示設定を行うことが出来るという利点がある。
【００４２】
加えて、インターフェース２８、４８は双方向インターフェースであり、複合機５０側の操作パネル６１でＬＣＤ表示部５３、５７の表示設定を行った場合に、その表示内容がローカルコンピュータ１０側の表示ディスプレイ１１で見ることが出来るようになっている。
【００４３】
＜実施形態２＞
次に、本発明の実施形態２を図９を参照して説明する。
実施形態１では、ＬＣＤ表示部５３、５７をＬＣＤ表示板５４Ａとバックライト５４Ｂより構成し、電力の供給は、筐体４２側の電源供給回路４６より行った。この場合に、給紙カセット５１、５５を筐体４２から取り外すと、電源供給回路４６からの電力の供給が断たれるので、ＬＣＤ表示部５３、５７の表示は消えてしまう。そこで、実施形態２では、給紙カセット５１、５５に補助電源供給手段８０を設けて、給紙カセット５１、５５を筐体４２から取り外した場合であっても、ＬＣＤ表示部５３、５７上の表示内容が維持されるようになっている。
【００４４】
より具体的に説明すると、補助電源供給手段８０は補助電源８１、制御回路８２、メモリ８３からなる。補助電源８１は例えば、ボタン型の小型電池により構成され、メモリ８３は例えば、不揮発性のＥＥＰＲＯＭより構成され、制御回路８２は例えば、小型のワンチップマイコンよりなる。
【００４５】
まず、給紙カセット５１、５５が筐体４２に装着されているときには、実施形態１の要領で、電源供給回路４６からバックライト５４Ｂに電力の供給がなされるとともに、ＣＰＵ４１から制御信号Ｓ１がＬＣＤ表示板５４Ａに出力される。これにより、ＬＣＤ表示部５３には所望の用紙銘柄が発光表示される。そして、このときの、制御信号Ｓ１が信号線Ｓ２を通じて補助電源供給手段８０のメモリ８３に読み込まれるようになっている。
【００４６】
一方、給紙カセット５１、５５が筐体４２から取り外された場合には、電源供給回路４６からの電力の供給は断たれるが、これに代わって補助電源８１からバックライト５４Ｂに電力の供給がなされるとともに、制御回路８２がメモリ８３から制御信号Ｓ１の読み出しを行って、これをＬＣＤ表示部５３に対して出力する。これにより、ＬＣＤ表示部５３の表示内容が維持されることとなる。その他の構成は実施形態１と同様であるため、同じ部品には同じ符号を付して、説明を省略するものとする。
【００４７】
このような構成であれば、例えば、給紙カセット５１、５５を筐体４２から取り外して、複合機５０が設置されている場所とは異なる場所で用紙の補充を行う場合にも、用紙の種別を誤ることがないから、使い勝手がよく商品性に優れる。
【００４８】
＜実施形態３＞
次に、本発明の実施形態３を図１０を参照して説明する。
実施形態１並びに、実施形態２では共に、ＬＣＤ表示部５３、５７を給紙カセット５１、５５に設けたが、実施形態３のものは、ＬＣＤ表示部１０５、１０６を筐体１００に設けている。より具体的に説明すると、筐体１００の前面壁１０１であって、給紙カセット５１、５５の両側部には残余部１０２が設けられている。この残余部１０２は一定の幅寸法を持って形成されるとともに、当該残余部１０２における各給紙カセット５１、５５の右側部にＬＣＤ表示部１０５、１０６がそれぞれ設けられている。その他の構成については、実施形態１と同様であるため説明を省略する。
【００４９】
このような構成であれば、筐体１００側に表示のための電装部品を集中させることが可能となる。実施形態１或いは実施形態２のようにＬＣＤ表示部５３、５７を給紙カセット５１、５５側に設けると、給紙カセット５１、５５側と筐体４２側とに電装部品を分けて配置することが必要となるから、その分、構造が複雑となるが、係る構成であれば、簡単な構造で済む。
【００５０】
＜実施形態４＞
次に、本発明の実施形態４について、図１１を参照して説明する。
実施形態４のものは、実施形態１の構成に対して、用紙サイズが記された用紙サイズ判別ラベル１１１Ａ、１１１Ｂを各ＬＣＤ表示部５３、５７の左側部にそれぞれ設けたものである。このような構成であれば、コスト増並びに、表示スペースの大幅な増加を伴わずに、ユーザに与える用紙判別のための情報が増やすことが可能となる。
【００５１】
＜実施形態５＞
実施形態５を図１２、図１３を参照して説明する。
実施形態５は実施形態４の用紙サイズ判別ラベル１１１Ａの裏面に回路パターンＰを設ける一方、給紙カセット５１、５５における対向位置に電気接点を設けておくものであり、更に、給紙カセット５１、５５には実施形態２の制御回路８２、メモリ８３を設けておく、そして、メモリ８３にはＬＣＤ表示板５４Ａに対する制御内容が、電気接点の電位レベルの変化パターンと対応付けされた状態で記憶されている。
【００５２】
そして、用紙サイズ判別ラベル１１１Ａ、１１１Ｂを給紙カセット５１、５５に対して貼り合わせると、給紙カセット５１、５５の電気接点同士が回路パターンによって短絡される。制御回路８２は、この短絡に伴う各電気接点の電位レベルの変化を読み取って、メモリ８３からその変化パターンに対応した制御内容を読み出し、ＬＣＤ表示板５４Ａの制御を行う。これにより、上記実施形態と同様に、ユーザによって指定（入力）された情報に基づいて、用紙サイズ以外の情報（銘柄等の情報）が表示されることとなる。
このような構成であれば、筐体１００側のＣＰＵ４１から制御信号Ｓ１を送ることなく、ＬＣＤ表示部５３上に所望の用紙銘柄を表示させることが可能となる。
【００５３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００５４】
（１）上記実施形態では、判別情報として銘柄を例にとって説明してが、用紙の種別を判別するための情報であれば、例えば、用紙の色、材質、厚さ等であってもよい。
【００５５】
（２）上記実施形態では、用紙判別のための情報を、主としてローカルコンピュータ側から入力したが、給紙カセット或いはその近傍に表示面が複数の表示ドットから構成されて任意の文字、図形、記号よりなる表示像を形成可能とされた表示部が設けられていればよく、入力操作は、ローカルコンピュータに限定されるものではない。
【００５６】
（３）上記実施形態では、各ユーザがそれぞれ使用するローカルコンピュータを例にとって説明したが、ホストコンピュータはこれに限定されるものではなく、例えば上記各ユーザが共有して使用するソフトウエアやファイル等を保存管理しローカルコンピュータ１０に供給するサーバコンピュータであってもよい。
【００５７】
（４）上記実施形態では、用紙銘柄をＬＣＤ表示部に発光表示させたが、表示部の構成としては任意の文字列を表示可能なものであればよく、例えば、電子ペーパ技術を利用したものであってもよい。電子ペーパ技術であれば、表示維持のための電力供給を必要としないから、消費電力が少なくて済む。
【図面の簡単な説明】
【００５８】
【図１】実施形態１における情報処理システムの概念図
【図２】複合機の斜視図
【図３】情報処理システムの電気的構成を示すブロック図
【図４】表示部の電気的構成を示すブロック図
【図５】印刷のプロパティ設定画面を示す図
【図６】銘柄の追加を示す図
【図７】出力先のプロパティ画面を示す図
【図８】給紙カセットの正面図
【図９】実施形態２に係る、給紙カセットの電気的構成を示すブロック図
【図１０】実施形態３に係る、給紙カセットの正面図
【図１１】実施形態４に係る、給紙カセットの正面図
【図１２】実施形態５に係る、用紙サイズ判別ラベルの正面図と背面図
【図１３】給紙カセットの電気的構成を示すブロック図
【符号の説明】
【００５９】
４０…ＣＰＵ（表示制御手段）
４５…印刷部（画像形成部段）
５１…給紙カセット（供給カセット）
５３…ＬＣＤ表示部
５５…給紙カセット（供給カセット）
５７…ＬＣＤ表示部
【図１】
2006232539.tif 000003
【図２】
2006232539.tif 000004
【図３】
2006232539.tif 000005
【図４】
2006232539.tif 000006
【図５】
2006232539.tif 000007
【図６】
2006232539.tif 000008
【図７】
2006232539.tif 000009
【図８】
2006232539.tif 000010
【図９】
2006232539.tif 000011
【図１０】
2006232539.tif 000012
【図１１】
2006232539.tif 000013
【図１２】
2006232539.tif 000014
【図１３】
2006232539.tif 000015